(57)【要約】【課題】上りリンク制御チャネルの情報量が増えることを回避することを目的とする。【解決手段】ユーザ装置は、システム帯域を形成している複数のリソースブロックのうち、両端側のリソースブロックを制御チャネルの送信に使用可能であり、かつ制御チャネルのために使用可能なリソースブロックに挟まれたリソースブロックをデータチャネルの送信に使用可能であり、周期的に送信すべきＣＱＩ情報を制御チャネルにて送信する第１送信部と、非周期的に送信すべきＣＱＩ情報をデータチャネルにて送信する第２送信部とを備える。前記第１送信部は、広帯域のＣＱＩ情報を制御チャネルにて送信し、前記第２送信部は、システム帯域を複数の周波数ブロックに分割した場合の周波数ブロック単位のＣＱＩ情報をデータチャネルにて送信し、前記第２送信部において送信されるＣＱＩ情報の情報量は、前記第１送信部において送信されるＣＱＩ情報の情報量よりも多い。【選択図】図８
2011041322.tif 000002
【特許請求の範囲】
【請求項１】
システム帯域を形成している複数のリソースブロックのうち、両端側のリソースブロックを制御チャネルの送信に使用可能であり、かつ制御チャネルのために使用可能なリソースブロックに挟まれたリソースブロックをデータチャネルの送信に使用可能であり、周期的に送信すべきＣＱＩ情報を制御チャネルにて送信する第１送信部と、
非周期的に送信すべきＣＱＩ情報をデータチャネルにて送信する第２送信部とを備え、
前記第１送信部は、広帯域のＣＱＩ情報を制御チャネルにて送信し、
前記第２送信部は、システム帯域を複数の周波数ブロックに分割した場合の周波数ブロック単位のＣＱＩ情報をデータチャネルにて送信し、
前記第２送信部において送信されるＣＱＩ情報の情報量は、前記第１送信部において送信されるＣＱＩ情報の情報量よりも多いことを特徴とするユーザ装置。
【請求項２】
広帯域のＣＱＩ情報と、システム帯域を複数の周波数ブロックに分割した場合の周波数ブロック単位の周波数選択性のＣＱＩ情報とを同じタイミングで送信する場合に、前記広帯域のＣＱＩ情報と前記周波数選択性のＣＱＩ情報とをデータチャネルで送信するように制御する制御部をさらに備えることを特徴とする請求項１に記載のユーザ装置。
【請求項３】
システム帯域を形成している複数のリソースブロックのうち、両端側のリソースブロックを制御チャネルの送信に使用可能であり、かつ制御チャネルのために使用可能なリソースブロックに挟まれたリソースブロックをデータチャネルの送信に使用可能であり、周期的に送信すべきＣＱＩ情報を制御チャネルにて送信するステップと、
非周期的に送信すべきＣＱＩ情報をデータチャネルにて送信するステップとを備え、
前記制御チャネルにて送信するステップは、広帯域のＣＱＩ情報を制御チャネルにて送信し、
前記データチャネルにて送信するステップは、システム帯域を複数の周波数ブロックに分割した場合の周波数ブロック単位のＣＱＩ情報をデータチャネルにて送信し、
前記データチャネルにて送信するステップにおいて送信されるＣＱＩ情報の情報量は、前記制御チャネルにて送信するステップにおいて送信されるＣＱＩ情報の情報量よりも多いことを特徴とする送信方法。
【請求項４】
ユーザ装置と、
基地局装置とを備え、
前記ユーザ装置は、
システム帯域を形成している複数のリソースブロックのうち、両端側のリソースブロックを制御チャネルの送信に使用可能であり、かつ制御チャネルのために使用可能なリソースブロックに挟まれたリソースブロックをデータチャネルの送信に使用可能であり、周期的に送信すべきＣＱＩ情報を制御チャネルにて前記基地局装置へ送信する第１送信部と、
非周期的に送信すべきＣＱＩ情報をデータチャネルにて前記基地局装置へ送信する第２送信部とを備え、
前記第１送信部は、広帯域のＣＱＩ情報を制御チャネルにて送信し、
前記第２送信部は、システム帯域を複数の周波数ブロックに分割した場合の周波数ブロック単位のＣＱＩ情報をデータチャネルにて送信し、
前記第２送信部において送信されるＣＱＩ情報の情報量は、前記第１送信部において送信されるＣＱＩ情報の情報量よりも多いことを特徴とする通信システム。
【発明の詳細な説明】
【技術分野】
【０００１】
本発明は、ユーザ装置、基地局及び制御情報送信方法に関する。
【背景技術】
【０００２】
Ｗ−ＣＤＭＡ（Wideband Code Division Multiple Access）やＨＳＤＰＡ（High Speed Downlink Packet Access）の後継となる通信方式、すなわち、ＬＴＥ（Long Term Evolution）が標準化団体３ＧＰＰ（3rd Generation Partnership Project）により検討されている。この中で、上りリンクについては、シングルキャリア方式（ＳＣ−ＦＤＭＡ：Single-Carrier Frequency Division Multiple Access）が検討されている（例えば、非特許文献１参照）。
【０００３】
ＬＴＥにおける上りリンク通信チャネルの構成例を図１に示す。図１に示すように、システム帯域は複数の周波数ブロックに分割される。周波数ブロックは、リソースブロックとも呼ばれ、帯域を割り当てるときの最小単位である。また、時間領域は、サブフレームと呼ばれる送信単位に分割されている。サブフレームは、更に２つのスロットに分割される。
【０００４】
この上りリンク通信チャネルには、上りリンク共有チャネル（ＰＵＳＣＨ：Physical Uplink Shared Channel）と上りリンク制御チャネルＡ及びＢ（ＰＵＣＣＨ：Physical Uplink Control Channel）とがある。上りリンク共有チャネルでは、ユーザデータが伝送される。上りリンク共有チャネルはデータチャネルとも呼ばれる。上りリンク制御チャネルＡ及びＢでは、適応変復調・符号化（ＡＭＣ：Adaptive Modulation and Coding）に用いるためのチャネル品質情報（ＣＱＩ：Channel Quality Indicator）、ＭＩＭＯ（Multiple Input Multiple Output）伝送を行うときのアンテナの重みを表すＰＭＩ（Precoding Matrix Indicator）情報のような制御情報が伝送される。なお、上りリンク制御チャネルは、１サブフレーム内の２つのスロット間でマッピングされる位置が異なる（周波数ホッピングが行われる）（例えば、非特許文献２参照）。
【先行技術文献】
【非特許文献】
【０００５】
【非特許文献１】3GPP TR25.814(V7.0.0),"Physical Layer Aspects for Evolved UTRA", June 2006
【非特許文献２】R1-070100, CDMA-Based Multiplexing Method for Multiple ACK/NACK and CQI in E-UTRA Uplink, January 2007
【発明の概要】
【発明が解決しようとする課題】
【０００６】
上記のように、上りリンク制御チャネルには、ＣＱＩ情報が多重される。ＣＱＩ情報には、システム帯域全体のチャネル品質を表すシステム帯域ＣＱＩ情報と、チャネル品質の周波数方向の変動を表す周波数選択性ＣＱＩ情報とがある。周波数選択性ＣＱＩ情報は、システム帯域が複数の周波数ブロックに分割されたときの周波数ブロック毎のチャネル品質情報を表し、基地局で周波数スケジューリングを行うために用いられる。
【０００７】
また、上りリンクチャネルには、ＰＭＩ情報も多重される。ＰＭＩ情報には、システム帯域全体のＰＭＩを表すシステム帯域ＰＭＩ情報と、周波数方向の変動を表す周波数選択性ＰＭＩ情報とがある。周波数選択性ＰＭＩ情報は、システム帯域が複数の周波数ブロックに分割されたときの周波数ブロック毎のＰＭＩ情報を表し、基地局で周波数選択プリコーディングを行うために用いられる
このようなＣＱＩ情報やＰＭＩ情報は、システム帯域を周波数ブロックに分割する数が大きくなるほど（周波数分解能が細かくなるほど）情報量が大きくなる。上りリンク制御チャネルでは、送信可能なビット数が限られており、ユーザ毎に無線リソースが周期的に与えられる。従って、システム帯域ＣＱＩ情報やシステム帯域ＰＭＩ情報のような制御情報だけでなく、周波数選択性ＣＱＩ情報や周波数選択性ＰＭＩ情報のような制御情報を上りリンク制御チャネルで送信しようとすると、上りリンク制御チャネルで送信可能なビット数を超える可能性がある。
【０００８】
本発明は、上記の課題を解決するためになされたものであり、システム帯域全体又はその一部の広帯域の制御情報に加えて周波数選択性の制御情報を送信するときに、上りリンク制御チャネルの情報量が増えることを回避することを目的とする。
【課題を解決するための手段】
【０００９】
本発明のユーザ装置は、
システム帯域を形成している複数のリソースブロックのうち、両端側のリソースブロックを制御チャネルの送信に使用可能であり、かつ制御チャネルのために使用可能なリソースブロックに挟まれたリソースブロックをデータチャネルの送信に使用可能であり、周期的に送信すべきＣＱＩ情報を制御チャネルにて送信する第１送信部と、
非周期的に送信すべきＣＱＩ情報をデータチャネルにて送信する第２送信部とを備え、
前記第１送信部は、広帯域のＣＱＩ情報を制御チャネルにて送信し、
前記第２送信部は、システム帯域を複数の周波数ブロックに分割した場合の周波数ブロック単位のＣＱＩ情報をデータチャネルにて送信し、
前記第２送信部において送信されるＣＱＩ情報の情報量は、前記第１送信部において送信されるＣＱＩ情報の情報量よりも多いことを特徴とする。
【００１０】
本発明の送信方法は、
システム帯域を形成している複数のリソースブロックのうち、両端側のリソースブロックを制御チャネルの送信に使用可能であり、かつ制御チャネルのために使用可能なリソースブロックに挟まれたリソースブロックをデータチャネルの送信に使用可能であり、周期的に送信すべきＣＱＩ情報を制御チャネルにて送信するステップと、
非周期的に送信すべきＣＱＩ情報をデータチャネルにて送信するステップとを備え、
前記制御チャネルにて送信するステップは、広帯域のＣＱＩ情報を制御チャネルにて送信し、
前記データチャネルにて送信するステップは、システム帯域を複数の周波数ブロックに分割した場合の周波数ブロック単位のＣＱＩ情報をデータチャネルにて送信し、
前記データチャネルにて送信するステップにおいて送信されるＣＱＩ情報の情報量は、前記制御チャネルにて送信するステップにおいて送信されるＣＱＩ情報の情報量よりも多いことを特徴とする。
【００１１】
本発明の通信システムは、
ユーザ装置と、
基地局装置とを備え、
前記ユーザ装置は、
システム帯域を形成している複数のリソースブロックのうち、両端側のリソースブロックを制御チャネルの送信に使用可能であり、かつ制御チャネルのために使用可能なリソースブロックに挟まれたリソースブロックをデータチャネルの送信に使用可能であり、周期的に送信すべきＣＱＩ情報を制御チャネルにて前記基地局装置へ送信する第１送信部と、
非周期的に送信すべきＣＱＩ情報をデータチャネルにて前記基地局装置へ送信する第２送信部とを備え、
前記第１送信部は、広帯域のＣＱＩ情報を制御チャネルにて送信し、
前記第２送信部は、システム帯域を複数の周波数ブロックに分割した場合の周波数ブロック単位のＣＱＩ情報をデータチャネルにて送信し、
前記第２送信部において送信されるＣＱＩ情報の情報量は、前記第１送信部において送信されるＣＱＩ情報の情報量よりも多いことを特徴とする。
【発明の効果】
【００１２】
本発明の実施例によれば、システム帯域全体又はその一部の広帯域の制御情報に加えて周波数選択性の制御情報を送信するときに、上りリンク制御チャネルの情報量が増えることを回避することができる。
【図面の簡単な説明】
【００１３】
【図１】ＬＴＥにおける上りリンク制御チャネルの構成例
【図２】本発明の実施例に係る上りリンク制御チャネルの構成例
【図３】本発明の実施例に係るＣＱＩ要求信号の無線リソース割り当て例を示す図
【図４】システム帯域ＣＱＩ情報のサブフレームと周波数選択性ＣＱＩ情報のサブフレームとの時間関係を示す図（その１）
【図５】システム帯域ＣＱＩ情報のサブフレームと周波数選択性ＣＱＩ情報のサブフレームとの時間関係を示す図（その２）
【図６】本発明の実施例に係るＣＱＩ要求信号フォーマットを示す図（スケジューリング許可用のフォーマットを用いる場合）
【図７】本発明の実施例に係るＣＱＩ要求信号フォーマットを示す図（専用のフォーマットを用いる場合）
【図８】本発明の実施例に係るユーザ装置の構成を示すブロック図
【図９】本発明の実施例に係る基地局の構成を示すブロック図
【図１０】本発明の実施例に係る制御情報送信方法のフローチャート
【発明を実施するための形態】
【００１４】
本発明の実施例について、図面を参照して以下に説明する。
【００１５】
＜本発明の実施例に係る上りリンク通信チャネルの構成例＞
本発明の実施例に係る上りリンク通信チャネルの構成例を図２に示す。本発明の実施例では、制御情報のうち、周波数選択性の制御情報（周波数選択性ＣＱＩ情報、周波数選択性ＰＭＩ情報）はデータチャネルで送信される。広帯域の制御情報（システム帯域ＣＱＩ情報、システム帯域ＰＭＩ情報）は制御チャネルで送信される。
【００１６】
このように、広帯域の制御情報を制御チャネルで送信することにより、基地局が制御チャネルを受信することができれば、基本的な動作は可能になる。また、周波数選択性の制御情報は周波数分解能に応じて情報量が変わるが、このような可変量の情報をデータチャネルに割り当てることにより、制御チャネルの情報量が増えることを回避することができる。なお、広帯域の制御情報（システム帯域ＣＱＩ情報、システム帯域ＰＭＩ情報）は、周期的に制御チャネルで送信し、周波数選択性の制御情報（周波数選択性ＣＱＩ情報、周波数選択性ＰＭＩ情報）は、基地局からの要求信号に応じてデータチャネルで送信されることが好ましい。
【００１７】
制御チャネルで送信される広帯域の制御情報には、システム帯域ＣＱＩ情報（第１のコードワードのシステム帯域ＣＱＩ情報、例えば５ビット）、ＭＩＭＯ伝送を行うときの第２のコードワードのシステム帯域ＣＱＩ情報（第１のコードワードのシステム帯域ＣＱＩ情報からの相対値、例えば２〜３ビット）、システム帯域ＰＭＩ情報（例えば２〜３ビット）がある。また、データチャネルで送信される周波数選択性の制御情報には、周波数選択性ＣＱＩ情報（第１のコードワードの周波数選択性ＣＱＩ情報）、ＭＩＭＯ伝送を行うときの第２のコードワードの周波数選択性ＣＱＩ情報（第１のコードワードの周波数選択性ＣＱＩ情報からの相対値）、周波数選択性ＰＭＩ情報がある。例えば、単一アンテナ構成の場合には、これらの情報のうち、ＣＱＩ情報（システム帯域ＣＱＩ情報及び周波数選択性ＣＱＩ情報）のみが制御情報として用いられる。ＭＩＭＯ伝送を行うが、アンテナ間でプリコーディングを行わない場合には、これらの情報のうち、第１のコードワードのＣＱＩ情報と第２のコードワードのＣＱＩ情報とが制御情報として用いられる。ＭＩＭＯ伝送を行い、アンテナ間でプリコーディングを行う場合には、これらの情報の全てが制御情報として用いられる。周波数選択性の制御情報は、スケジューリング要求用の制御情報を更に含んでもよい。
【００１８】
なお、本発明の実施例では、システム帯域の制御情報（システム帯域ＣＱＩ情報、システム帯域ＰＭＩ情報等）を制御チャネルで送信することについて説明するが、本発明は、システム帯域全体の一部の広帯域の制御情報（システム帯域全体の一部のＣＱＩ情報、システム帯域全体の一部のＰＭＩ情報等）を制御チャネルで送信する場合にも適用可能である。すなわち、広帯域の制御情報には、システム帯域全体の制御情報だけでなく、システム帯域全体の一部の制御情報も含まれる。また、広帯域ＣＱＩ情報には、システム帯域全体のＣＱＩ情報だけでなく、システム帯域全体の一部のＣＱＩ情報も含まれる。同様に、広帯域ＰＭＩ情報には、システム帯域全体のＰＭＩ情報だけでなく、システム帯域全体の一部のＰＭＩ情報も含まれる。
【００１９】
＜ＣＱＩ要求信号の無線リソース割り当て例＞
上記のように、広帯域の制御情報は周期的にユーザ装置から基地局に送信されることが好ましい。この制御情報の送信周期及び制御情報として送信する情報は、高レイヤのシグナリング（Ｌ３シグナリング）で各ユーザ装置に通知される。
【００２０】
また、周波数選択性の制御情報は、基地局からのＣＱＩ要求信号（又はＰＭＩ要求信号）に応じてユーザ装置から基地局にデータチャネルで送信されることが好ましい。ＣＱＩ要求信号（又はＰＭＩ要求信号）は、下りリンクＬ１／Ｌ２制御チャネルでユーザ装置に送信される。
【００２１】
基地局からのＣＱＩ要求信号（又はＰＭＩ要求信号）は、上りリンクスケジューリング許可（Scheduling grant）用のフォーマットに要求フラグを含めることでユーザ装置に示してもよく、専用のフォーマットを用いてユーザ装置に示してもよい。
【００２２】
ＣＱＩ要求信号（又はＰＭＩ要求信号）として上りリンクスケジューリング許可用のフォーマットを用いる場合には、ユーザ装置は、上りリンクスケジューリング許可を受信して復号し、要求信号の有無を確認する。
【００２３】
ＣＱＩ要求信号として専用のフォーマットを用いる場合には、図３に示すように、ＣＱＩ要求信号が割り当てられるサブフレームを予め周期的に設定してもよい。基地局は、予め周期的に割り当てられたサブフレームでＣＱＩ要求信号を送信する。なお、ＣＱＩ情報が不要な場合には、ＣＱＩ要求信号を送信しなくてもよい。ユーザ装置は、ＣＱＩ要求信号が割り当てられる可能性のあるサブフレームのみを受信して復号し、要求信号の有無を確認することができる。なお、ＣＱＩ要求信号が割り当てられる可能性のあるサブフレームは、基地局からユーザ装置に予め通知されてもよく、図４及び図５を参照して説明するように広帯域の制御情報を周期的に送信するサブフレームと関連付けられてもよい。このＣＱＩ要求信号には、ＵＥ  ＩＤが付加される。すなわち、ユーザ装置間は別々の符号化が行われる。
【００２４】
このように、専用のフォーマットを用いることにより、上りリンクスケジューリング許可用のフォーマットに要求フラグを含めることに比べて、ビット数の少ない簡易なフォーマットを用いることが可能になる。
【００２５】
図４は、ＣＱＩ要求信号が専用のフォーマットで送信されるときの、システム帯域ＣＱＩ情報のサブフレームと周波数選択性ＣＱＩ情報のサブフレームとの時間関係を示す図である。図４に示すように、基地局は、システム帯域ＣＱＩ情報と周波数選択性ＣＱＩ情報とが同じサブフレームで送信されるようにそれぞれの送信タイミングを設定してもよい。基地局は、システム帯域ＣＱＩ情報が送信されるサブフレームは予め認識しているため、システム帯域ＣＱＩ情報と同じサブフレームで周波数選択性ＣＱＩ情報が送信されるように、ＣＱＩ要求信号を送信する。すなわち、システム帯域ＣＱＩ情報の送信タイミングによって、基地局がユーザ装置にＣＱＩ要求信号を送信するための無線リソースが決まる。基地局がＣＱＩ要求信号を送信しない場合、ユーザ装置は制御チャネルで周期的にシステム帯域ＣＱＩ情報を送信するが、基地局がＣＱＩ要求信号を送信すると、ユーザ装置は、システム帯域ＣＱＩ情報と周波数選択性ＣＱＩ情報とをデータチャネルで送信する。このように、基地局は、ＣＱＩ要求信号が割り当てられる可能性のあるサブフレームを予め決めてもよい。
【００２６】
図５は、ＣＱＩ要求信号が専用のフォーマットで送信されるときの、システム帯域ＣＱＩ情報のサブフレームと周波数選択性ＣＱＩ情報のサブフレームとの時間関係を示す図である。図５に示すように、基地局は、システム帯域ＣＱＩ情報と周波数選択性ＣＱＩ情報とが異なるサブフレームで送信されるようにそれぞれの送信タイミングを設定してもよい。基地局は、システム帯域ＣＱＩ情報が送信されるサブフレームは予め認識しているため、システム帯域ＣＱＩ情報と異なるサブフレームで（或いは一定のオフセットをもたせたサブフレームで）周波数選択性ＣＱＩ情報が送信されるように、ＣＱＩ要求信号を送信する。すなわち、システム帯域ＣＱＩ情報の送信タイミングによって、基地局がユーザ装置にＣＱＩ要求信号を送信するための無線リソースが決まる。基地局がＣＱＩ要求信号を送信しない場合、ユーザ装置は制御チャネルで周期的にシステム帯域ＣＱＩ情報を送信するが、基地局がＣＱＩ要求信号を送信すると、ユーザ装置は、周期的にシステム帯域ＣＱＩ情報を制御チャネルで送信し続け、システム帯域ＣＱＩ情報と異なるサブフレームで周波数選択性ＣＱＩ情報をデータチャネルで送信する。このように、基地局は、ＣＱＩ要求信号が割り当てられる可能性のあるサブフレームを予め決めてもよい。
【００２７】
＜ＣＱＩ要求信号フォーマット＞
前記のように、ＣＱＩ要求信号は、上りリンクスケジューリング許可用のフォーマットに要求フラグを含めることでユーザ装置に示してもよく、専用のフォーマットを用いてユーザ装置に示してもよい。
【００２８】
スケジューリング許可用のフォーマットを用いる場合のＣＱＩ要求信号フォーマットを図６に示す。
【００２９】
スケジューリング許可用のフォーマットには、スケジューリング許可フォーマット、上りリンクリソースブロック割り当て情報、ＵＥ  ＩＤ、トランスポートフォーマット情報、送信電力、復調用リファレンス信号フォーマット、ＴＴＩホッピング情報、上りリンクアンテナ選択情報、再送関連情報がある。スケジューリング許可用のフォーマットを用いてＣＱＩ要求信号を送信するために、スケジューリング許可用のフォーマットに、１ビットのＣＱＩ指示情報を含めてもよい。このＣＱＩ指示情報は、周波数選択性ＣＱＩ情報がデータチャネル（ＰＵＳＣＨ）で送信されるか否かを示すフラグである。ユーザ装置は、このＣＱＩ指示情報を読み取り、周波数選択性ＣＱＩ情報を送信するか否かを判定する。
【００３０】
次に、専用のフォーマットを用いる場合のＣＱＩ要求信号フォーマットを図７に示す。専用のフォーマットを用いる場合には、必要最小限の情報のみを定義すればよいため、ビット数の少ない簡易なフォーマットを用いることが可能になる。すなわち、上りリンクリソースブロック割り当て情報、ＵＥ  ＩＤ、ＣＱＩ指示情報のみを定義すればよい。復調用リファレンス信号フォーマットに用いる３ビットは専用のフォーマットに含まれてもよく、含まれなくてもよい。また、上りリンクリソースブロック割り当て情報についても、ＣＱＩを送信する情報量を一定にしておくことにより、情報量を更に低減することが可能になる。
【００３１】
＜ユーザ装置の構成＞
次に、図８を参照して、本発明の実施例に係るユーザ装置１０の構成について説明する。
【００３２】
ユーザ装置１０は、ＣＱＩ測定部１０１と、広帯域ＣＱＩ情報生成部１０３と、周波数選択性ＣＱＩ情報生成部１０５と、多重制御部１０７とを有する。
【００３３】
ＣＱＩ測定部１０１は、基地局から送信されるリファレンス信号を受信し、ＣＱＩを測定する。
【００３４】
広帯域ＣＱＩ情報生成部１０３は、ＣＱＩ測定部１０１で測定された周波数ブロック毎のＣＱＩをシステム帯域全体又はその一部で平均化して広帯域ＣＱＩ情報を生成する。この広帯域ＣＱＩ情報を生成する周期は、基地局からのＬ３シグナリングで予め通知される。
【００３５】
周波数選択性ＣＱＩ情報生成部１０５は、基地局からのＬ１／Ｌ２シグナリングでＣＱＩ要求信号を受信したときに、予め決められた周波数ブロック毎のＣＱＩ情報を生成する。Ｌ１／Ｌ２シグナリングでＣＱＩ要求信号を受信する無線リソースは、予め基地局で周期的に割り当てられてもよい。例えば、周波数選択性ＣＱＩ情報を通知するサブフレームは、広帯域ＣＱＩ情報を通知するサブフレームと関連付けられてもよい。
【００３６】
多重制御部１０７は、ユーザデータと広帯域ＣＱＩ情報と周波数選択性ＣＱＩ情報とをデータチャネル及び制御チャネルに多重する。例えば、広帯域ＣＱＩ情報と周波数選択性ＣＱＩ情報とを同じサブフレームで送信する場合には、ユーザデータと広帯域ＣＱＩ情報と周波数選択性ＣＱＩ情報とをデータチャネルに多重する。また、広帯域ＣＱＩ情報と周波数選択性ＣＱＩ情報とを異なるサブフレームで送信する場合には、ユーザデータと周波数選択性ＣＱＩとをデータチャネルに多重し、広帯域ＣＱＩ情報を制御チャネルに多重する。
【００３７】
＜基地局の構成＞
次に、図９を参照して、本発明の実施例に係る基地局２０の構成について説明する。
【００３８】
基地局２０は、多重判定部２０１と、広帯域ＣＱＩ情報復調部２０３と、周波数選択性ＣＱＩ情報復調部２０５と、スケジューラ２０７と、広帯域ＣＱＩ情報リソース割り当て部２０９とを有する。
【００３９】
広帯域ＣＱＩ情報リソース割り当て部２０９は、ユーザ装置が広帯域ＣＱＩ情報を送信する無線リソースを周期的に割り当てる。この広帯域ＣＱＩ情報の送信周期は、Ｌ３シグナリングでユーザ装置に通知される。
【００４０】
多重判定部２０１は、ユーザデータと広帯域ＣＱＩ情報と周波数選択性ＣＱＩ情報とがユーザチャネルに多重されているか判定し、それぞれの情報を分離する。なお、多重判定部は分離部に相当する。
【００４１】
広帯域ＣＱＩ情報復調部２０３は、ユーザチャネル又は制御チャネルに多重されている広帯域ＣＱＩ情報を復調する。
【００４２】
周波数選択性ＣＱＩ情報復調部２０５は、ユーザチャネルに多重されている周波数選択性ＣＱＩ情報を復調する。
【００４３】
スケジューラ２０７は、広帯域ＣＱＩ情報及び周波数選択性ＣＱＩ情報に基づいて、ユーザデータのスケジューリングを行う。また、スケジューラ２０７は、周波数選択性ＣＱＩ情報をユーザ装置から受信するために、ＣＱＩ要求信号を送信するスケジューリングを行う。例えば、ＣＱＩ要求信号は、広帯域ＣＱＩ情報リソース割り当て部２０９で管理されている広帯域ＣＱＩ情報の送信周期に基づいて、広帯域ＣＱＩ情報と同じ又は異なるサブフレームで周波数選択性ＣＱＩ情報が受信されるように送信される。このスケジューラは、周波数選択性制御情報要求部に相当する。
【００４４】
＜制御情報送信方法のフローチャート＞
次に、図１０を参照して、本発明の実施例に係る制御情報送信方法のフローチャートについて説明する。
【００４５】
まず、基地局は広帯域ＣＱＩ情報の報告周期、ＣＱＩ報告内容（第１のコードワードのシステム帯域ＣＱＩ情報を送信するか、第１及び第２のコードワードのシステム帯域ＣＱＩ情報を送信するかを示す情報等）を決定し、Ｌ３シグナリングでユーザ装置に通知する（Ｓ１０１）。ユーザ装置は、通知されたＣＱＩ報告周期に従って広帯域ＣＱＩ情報を生成して基地局に報告する。広帯域ＣＱＩ情報は、上りリンク制御チャネルで送信される。ＣＱＩ報告周期に従ってＣＱＩ要求信号を受信するサブフレームが決まるので、該当するサブフレームを受信して、ＣＱＩ要求信号を確認する（Ｓ１０３）。このステップＳ１０３は、ステップＳ１０１で通知された周期で繰り返される。
【００４６】
基地局は、周波数選択性ＣＱＩ情報が必要になったときに、ＣＱＩ要求信号を生成し、Ｌ１／Ｌ２シグナリングでユーザ装置に送信する（Ｓ１０５）。ユーザ装置は、ＣＱＩ要求信号を受信して、周波数選択性ＣＱＩ情報を生成する（Ｓ１０７）。この周波数選択性ＣＱＩ情報は、基地局から指示されたデータチャネル上の無線リソースで送信される（Ｓ１０９）。広帯域ＣＱＩ情報を同じサブフレームで送信する場合には、この広帯域ＣＱＩ情報もデータチャネルで送信される。なお、広帯域ＣＱＩ情報を異なるサブフレームで送信する場合には、広帯域ＣＱＩ情報は上りリンク制御チャネルで送信される。基地局は、周波数選択性ＣＱＩ情報を受信し、周波数スケジューリングに利用する。
【００４７】
なお、図３〜図１０及びこれらの図に対応する説明では、ＣＱＩ情報について示しているが、ＰＭＩ情報についても同様に実現可能である。
【００４８】
このように、本発明の実施例によれば、システム全体又はその一部の広帯域の制御情報に加えて周波数選択性の制御情報を送信するときに、上りリンク制御チャネルと上りリンクデータチャネルとを効率的に使用することができる。なお、上記では本発明の好適な実施例について説明したが、本発明は、上記の実施例に限定されることなく、特許請求の範囲内において種々の変更及び応用が可能である。例えば、本発明はＬＴＥに従った移動通信システムに限定されることなく、シングルキャリア方式で上りリンク制御チャネルが伝送される如何なる移動通信システムにも適用可能である。更に、広帯域の制御情報及び周波数選択性の制御情報としてＣＱＩ情報及びＰＭＩ情報を例に挙げて説明したが、本発明は、広帯域の制御情報と周波数選択性の制御情報とに分割できる如何なる制御情報にも適用可能である。
【００４９】
以上の実施例を含む実施形態に関し、更に、以下の項目を開示する。
【００５０】
（１）シングルキャリア方式で制御情報を基地局に送信するユーザ装置であって：
システム帯域全体又はその一部の広帯域の制御情報を生成する広帯域制御情報生成部；
周波数選択性の制御情報を生成する周波数選択性制御情報生成部；及び
前記広帯域の制御情報を制御チャネル又はデータチャネルで送信するように制御し、前記周波数選択性の制御情報をデータチャネルで送信するように制御する制御部；
を有するユーザ装置。
【００５１】
（２）前記周波数選択性制御情報生成部は、前記基地局で周期的に割り当てられた無線リソースを確認して、前記周波数選択性の制御情報を生成する、（１）に記載のユーザ装置。
【００５２】
（３）前記制御部は、前記広帯域の制御情報と前記周波数選択性の制御情報とを同じタイミングで送信する場合に、前記広帯域の制御情報と前記周波数選択性の制御情報とをデータチャネルで送信するように制御する、（１）に記載のユーザ装置。
【００５３】
（４）前記制御部は、前記広帯域の制御情報と前記周波数選択性の制御情報とを異なるタイミングで送信する場合に、前記広帯域の制御情報を制御チャネルで送信し、前記周波数選択性の制御情報をデータチャネルで送信するように制御する、（１）に記載のユーザ装置。
【００５４】
（５）前記広帯域の制御情報は、広帯域ＣＱＩ情報及び広帯域ＰＭＩ情報のうち少なくとも１つを含み、
前記周波数選択性の制御情報は、周波数選択性ＣＱＩ情報及び周波数選択性ＰＭＩ情報のうち少なくとも１つを含む、（１）に記載のユーザ装置。
【００５５】
（６）前記周波数選択性の制御情報は、スケジューリング要求用の制御情報を更に含む、（５）に記載のユーザ装置。
【００５６】
（７）シングルキャリア方式で制御情報をユーザ装置から受信する基地局であって：
周波数選択性の制御情報を送信する無線リソースを周期的に割り当てる割り当て部；
前記周期的に割り当てた無線リソースを用いて、データチャネルでの前記周波数選択性の制御情報の送信を要求する周波数選択性制御情報要求部；及び
データチャネルから前記周波数選択性の制御情報を分離する分離部；
を有する基地局。
【００５７】
（８）ユーザ装置から基地局に対してシングルキャリア方式で制御情報を送信する制御情報送信方法であって：
前記基地局が、周波数選択性の制御情報を送信する無線リソースを周期的に割り当てるステップ；
前記基地局が、前記周期的に割り当てた無線リソースを用いて、データチャネルでの前記周波数選択性の制御情報の送信を要求するステップ；
前記ユーザ装置が、前記基地局で周期的に割り当てられた無線リソースを確認して、前記周波数選択性の制御情報を生成するステップ；
前記ユーザ装置が、前記周波数選択性の制御情報をデータチャネルで送信するステップ；及び
前記基地局が、データチャネルから前記周波数選択性の制御情報を分離するステップ；
を有する制御情報送信方法。
【符号の説明】
【００５８】
１０  ユーザ装置
１０１  ＣＱＩ（ＰＭＩ）測定部
１０３  広帯域ＣＱＩ情報（ＰＭＩ情報）生成部
１０５  周波数選択性ＣＱＩ情報（ＰＭＩ情報）生成部
１０７  多重制御部
２０  基地局
２０１  多重判定部
２０３  広帯域ＣＱＩ情報（ＰＭＩ情報）復調部
２０５  周波数選択性ＣＱＩ情報（ＰＭＩ情報）復調部
２０７  スケジューラ
２０９  広帯域ＣＱＩ情報（ＰＭＩ情報）リソース割り当て部
【図１】
2011041322.tif 000003
【図２】
2011041322.tif 000004
【図３】
2011041322.tif 000005
【図４】
2011041322.tif 000006
【図５】
2011041322.tif 000007
【図６】
2011041322.tif 000008
【図７】
2011041322.tif 000009
【図８】
2011041322.tif 000010
【図９】
2011041322.tif 000011
【図１０】
2011041322.tif 000012